(57)【要約】【課題】インキ収容管内へのインキ充填量を増加させることができ、さらに、製造コストを減少させることができる多芯筆記具を提供する。【解決手段】軸筒２内に複数の筆記体６を前後方向に移動可能に収容し、各々の筆記体６の後端に操作部８２を設ける。軸筒２の側壁に前後方向に延びる複数の窓孔４１を径方向に貫設し、各々の窓孔４１から径方向外方に各々の操作部８２を突出させる。筆記体６が、両端が開口されたインキ収容管８と、該インキ収容管８の前端部に固着される前記ペン先７と、前記インキ収容管８の後部外面に径方向外方に突出される前記操作部８２とからなる。インキ収容管８の後端と操作部８２の後端とが一致するか、またはインキ収容管８の後端開口部８１が操作部８２の後端より後方に位置される。【選択図】  図１
2012232480.tif 000002
【特許請求の範囲】
【請求項１】
軸筒内に複数の筆記体を前後方向に移動可能に収容し、前記各々の筆記体の後端に操作部を設け、前記各々の筆記体を後方に付勢する複数の弾発体を軸筒内に収容し、前記軸筒の側壁に前後方向に延びる複数の窓孔を径方向に貫設し、前記各々の窓孔から径方向外方に前記各々の操作部を突出させ、一つの操作部を窓孔に沿って前方にスライドさせることにより、その一つの操作部を有する筆記体のペン先を軸筒の前端孔から突出させるとともに、先に突出状態にあった他の筆記体のペン先を軸筒内に没入させてなる多芯筆記具であって、前記筆記体が、両端が開口されたインキ収容管と、該インキ収容管の前端部に固着される前記ペン先と、前記インキ収容管の後部外面に径方向外方に突出される前記操作部とからなり、前記インキ収容管の後端と前記操作部の後端とが一致するか、または前記インキ収容管の後端開口部が前記操作部の後端より後方に位置されることを特徴とする多芯筆記具。
【請求項２】
前記操作部が前記インキ収容管の後端部外面に一体に形成される請求項１記載の多芯筆記具。
【請求項３】
前記インキ収容管の後端部外面の操作部と反対側に径方向外方に突出する係合突部が一体に形成され、前記係合突部がペン先出没時に他の筆記体の係合突部に接触してなる請求項１または２記載の多芯筆記具。
【請求項４】
前記軸筒の後端に、前記窓孔を後方に開口させる開閉自在の開口部を設け、前記開口部を通して前記筆記体を前記軸筒内から取り外し可能且つ前記軸筒内に挿入可能に構成した請求項１乃至３の何れかに記載の多芯筆記具。
【発明の詳細な説明】
【技術分野】
【０００１】
本発明は、多芯筆記具に関する。
【背景技術】
【０００２】
特許文献１には、軸筒の尾端側外周面に穿設された複数個の窓孔から作動子の押圧部が径方向に突出し、この押圧部を押圧して軸線方向に前進させると軸筒内に収容されたボールペン芯などの書記体が前進してボールペンチップなどの書記部が軸筒の先端開口から突出するとともに前進位置にある他の筆記体を後退させる多芯筆記具が開示されている。
【先行技術文献】
【特許文献】
【０００３】
【特許文献１】実用新案登録第２５５０２３３号公報
【発明の概要】
【発明が解決しようとする課題】
【０００４】
前記従来の多芯筆記具では、インキタンクとなる合成樹脂パイプの後端に作動子が連結される構造であるため、インキタンク内へのインキ充填量を大きく増加させるには限界がある。また、前記従来の多芯筆記具では、合成樹脂パイプに作動子を連結させる組立工程が必要であるため、製造コストが上昇する。
【０００５】
本発明は、前記従来の問題点を解決するものであって、インキ収容管内へのインキ充填量を増加させることができ、さらに、製造コストを減少させることができる多芯筆記具を提供しようとするものである。
尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
本願の第１の発明は、軸筒２内に複数の筆記体６を前後方向に移動可能に収容し、前記各々の筆記体６の後端に操作部８２を設け、前記各々の筆記体６を後方に付勢する複数の弾発体９を軸筒２内に収容し、前記軸筒２の側壁に前後方向に延びる複数の窓孔４１を径方向に貫設し、前記各々の窓孔４１から径方向外方に前記各々の操作部８２を突出させ、一つの操作部８２を窓孔４１に沿って前方にスライドさせることにより、その一つの操作部８２を有する筆記体６のペン先７を軸筒２の前端孔３１から突出させるとともに、先に突出状態にあった他の筆記体６のペン先７を軸筒２内に没入させてなる多芯筆記具であって、前記筆記体６が、両端が開口されたインキ収容管８と、該インキ収容管８の前端部に固着される前記ペン先７と、前記インキ収容管８の後部外面に径方向外方に突出される前記操作部８２とからなり、前記インキ収容管８の後端と前記操作部８２の後端とが一致するか、または前記インキ収容管８の後端開口部８１が前記操作部８２の後端より後方に位置されることを要件とする。
【０００７】
前記第１の発明の多芯筆記具１は、前記筆記体６が、両端が開口された筒状のインキ収容管８と、該インキ収容管８の前端部に固着される前記ペン先７と、該インキ収容管８の後部外面に径方向外方に突出される前記操作部８２とからなり、前記インキ収容管８の後端と前記操作部８２の後端とが一致するか、または前記インキ収容管８の後端開口部８１が前記操作部８２の後端より後方に位置されることにより、インキ収容管８内へのインキ充填量を増加させることができる。
【０００８】
本願の第２の発明は、前記第１の発明の多芯筆記具１において、前記操作部８２が前記インキ収容管８の後端部外面に一体に形成されることを要件とする。
【０００９】
前記第２の発明の多芯筆記具１は、前記操作部８２が前記インキ収容管８の後端部外面に一体に形成されることにより、インキ収容管８と操作部８２との組立工程が不要となり、製造コストを減少させることができる。
【００１０】
本願の第３の発明は、前記第１または第２の発明の多芯筆記具１において、前記インキ収容管８の後端部外面の操作部８２と反対側に径方向外方に突出する係合突部８３が一体に形成され、前記係合突部８３がペン先出没時に他の筆記体６の係合突部８３に接触してなることを要件とする。
【００１１】
前記第３の発明の多芯筆記具１は、前記インキ収容管８の後端部外面の操作部８２と反対側に径方向外方に突出する係合突部８３が一体に形成され、前記係合突部８３がペン先出没時に他の筆記体６の係合突部８３に接触してなることにより、インキ収容管８とカム部との組立工程が不要となり、より一層、製造コストを減少させることができる。
【００１２】
本願の第４の発明は、前記第１乃至第３の発明の多芯筆記具１において、前記軸筒２の後端に、前記窓孔４１を後方に開口させる開閉自在の開口部４２を設け、前記開口部４２を通して前記筆記体６を前記軸筒２内から取り外し可能且つ前記軸筒２内に挿入可能に構成したことを要件とする。
【００１３】
前記第４の発明の多芯筆記具１は、前記構成により、前記第１、第２または第３の発明の多芯筆記具１に用いる筆記体６を軸筒２内に容易に交換可能に収容することができる。
【発明の効果】
【００１４】
本発明の多芯筆記具は、インキ収容管内へのインキ充填量を増加させることができる。
【図面の簡単な説明】
【００１５】
【図１】本発明の実施の形態の全ペン先没入状態を示す縦断面図である。
【図２】図１のペン先突出状態を示す縦断面図である。
【図３】図１の筆記体の交換を説明する側面図である。
【図４】図１の筆記体を示す縦断面図である。
【発明を実施するための形態】
【００１６】
本発明の実施の形態を図１乃至図４に示す。
本実施の形態の多芯筆記具１は、軸筒２内に複数本（具体的には２本）の筆記体６が前後方向に移動可能に収容される。また、前記軸筒２内には複数（具体的には２個）の弾発体９（具体的には圧縮コイルスプリング）が収容される。前記各々の筆記体６は、前記各々の弾発体９により後方に付勢される。
【００１７】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先７が突出可能な前端孔３１が軸方向に貫設される。前記前軸３及び後軸４は、合成樹脂（例えば、ポリカーボネイト等）の射出成形により得られる。
【００１８】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ、後方に開口されている。一方、前記窓孔４１の前端は常時閉鎖されている。
【００１９】
また、前記後軸４の窓孔４１の相互間の側壁内面には、前後方向に延びるリブよりなる係止壁部４３が一体に形成され、前記係止壁部４３に、ペン先突出状態の筆記体６の後端が係止される。
【００２０】
前記後軸４の窓孔４１の相互間の側壁外面には、クリップ４４が設けられる。
【００２１】
（蓋部）
前記後軸４の後端部には、前記開口部４２を開閉自在にする蓋部５が回動自在に設けられる。前記蓋部５の一端部は、クリップ４４基部に、ヒンジ部５２により回動自在に接続される。前記ヒンジ部５２は、ペン先下向きでクリップ４４を正面視したときのクリップ４４の左右方向に延設され、それにより、前記蓋部５は、略前後方向に回動自在となる。前記蓋部５の前面には、当接壁部５１が形成される。前記当接壁部５１に、ペン先没入状態の筆記体６の後端に連結された操作体の後端が、当接される。本実施の形態では、前記ヒンジ部５２は、具体的には、回動軸により回動自在に接続される構成が採用されているが、これ以外にも、屈曲変形可能な可撓性を有する連結部または薄肉部により一体に接続される構成であってもよい。
【００２２】
前記蓋部５の他端部の前面には、係合部５３が設けられる（具体的には係合凹部または係合孔部が形成される）。後軸４の後端には、前記係合部５３と係合可能な被係合部４５が設けられる（具体的には係合凸部が突設される）。前記係合部５３（係合凹部または係合孔部）の内面には、内向突起が形成され、一方、前記被係合部４５（係合凸部）の外面には、前記内向突起と乗り越え係止可能な外向突起が形成される。
【００２３】
前記係合部５３と前記被係合部４５とは、蓋部５が開口部４２を閉鎖した際、互いに係合状態にあり（具体的には内向突起と外向突起が乗り越え係止状態にあり）、弾発体９の後方への付勢による筆記体６後端と蓋部５前面の当接壁部５１との当接では、その係合状態は解除されず、蓋部５が開くことはない。
【００２４】
また、前記係合部５３と被係合部４５の構成以外にも、前記係合部５３が係合凸部よりなり、前記被係合部４５が係合凹部または係合孔部からなる構成でもよい。
【００２５】
（筆記体）
前記各々の筆記体６は、ボールペンレフィルであり、前端にボールが回転可能に抱持されたボールペンチップ（即ちペン先７）と、該ボールペンチップを前端に備え且つ後端が開口されたインキ収容管８とからなる。
【００２６】
前記インキ収容管８の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管８内のインキの後端には、インキの消費に伴い前進する高粘度流体からなる追従体が充填される。
【００２７】
前記ボールペンチップは、前端に回転可能に抱持されたボールを弾発体等により前方に付勢し、前端縁部の内面にボールを密接させる構成でもよい。また、ボールペンチップは、インキ収容管８の前端開口部に圧入等により直接、取り付けてもよいが、本実施の形態ではペン先ホルダーを介してインキ収容管８の前端開口部に固着される。
【００２８】
前記インキ収容管８は、両端が開口された合成樹脂（例えばポリプロピレン）の筒状の成形体（例えば射出成形体）からなり、径方向の可撓性を有し、湾曲状に弾性変形可能である。前記インキ収容管８の前端開口部にペン先７が固着される。前記インキ収容管８の後端開口部８１外面には、操作部８２が突設される。また、前記操作部８２と１８０度対称位置に係合突部８３とが突設される。前記操作部８２と前記係合突部８３はインキ収容管８に一体に形成される。前記インキ収容管８の後端と前記操作部８２の後端とが一致されるか、または前記操作部８２の後端より前記インキ収容管８の後端が後方に位置される。
本実施の形態では、前記操作部８２、前記係合突部８３（前側突部８３ａ，後側突部８３ｂ）は、インキ収容管８に一体に形成されているが、別部材の取り付けによっても得ることもできる。
【００２９】
前記操作部８２が軸筒２の窓孔４１から外部に突出される。前記係合突部８３は、前側突部８３ａと、該前側突部８３ａの後方に配置される後側突部８３ｂとからなる。前記前側突部８３ａより前方にインキ収容管８外面には、弾発体９の前端が係止可能な段部８４が一体に形成される。
【００３０】
筆記体６のペン先７が没入状態のとき、その筆記体６に取り付けられた操作体の後端部は、蓋部５の前面に形成された当接壁部５１に当接される。一方、筆記体６のペン先７が突出状態のとき、その筆記体６に取り付けられた操作体の後端部は、軸筒２の内壁に形成された係止壁部４３に係止される。
【００３１】
ペン先没入状態にある筆記体６の後端に連結された操作体の前側突部８３ａは、その操作体の操作部８２を前方にスライド操作した際、先にペン先突出状態にある他の筆記体６の後端に連結された操作体の後側突部８３ｂと当接され、他の筆記体６のペン先突出状態が解除される。
【００３２】
前記各々の筆記体６は、筆記体６の内部（即ちインキ収容管８内部）に収容されたインキの色と略同じ色に着色されるか、または透明材料により形成される。
【００３３】
（弾発体支持部）
軸筒２の内壁（即ち後軸４の内壁）には、円筒状の弾発体支持部１０が固着される。前記弾発体支持部１０は、筆記体６が挿通される複数（具体的には２個）の内孔１０１が軸方向に貫設されている。前記弾発体支持部１０の後面と、各々の操作体の段部８４との間には、弾発体９が配置される。前記各々の弾発体９の内部に筆記体６（即ちインキ収容管８）が遊挿されるとともに、各々の弾発体９の前端は弾発体支持部１０の後面により係止され、各々の弾発体９の後端は筆記体６の段部８４に係止される。
【００３４】
（ペン先の出没）
本実施の形態におけるペン先７の出没作動について説明する（図１及び図２参照）。
一つの操作部８２を弾発体９の後方付勢に抗して窓孔４１に沿って前方にスライド操作すると、そのスライド操作された筆記体６の前側突部８３ａが、先にペン先突出状態にある他の筆記体６の後側突部８３ｂを径方向外方に持ち上げる。それにより、軸筒２内壁の係止壁部４３と筆記体６後端との係止状態が解除され、他の筆記体６が弾発体９の後方付勢により後方に移動され、他の筆記体６のペン先７が軸筒２内に没入され、他の筆記体６の後端が蓋部５の前面の当接壁部５１に当接衝止される。前記他の筆記体６のペン先７の没入と同時に、前記前方にスライド操作した筆記体６のペン先７が、軸筒２の前端孔３１より外部に突出されるとともに、前方にスライド操作された筆記体６の後端が軸筒２内壁の係止壁部４３に係止され、そのペン先突出状態が維持される。
【００３５】
（筆記体及び操作体の交換）
本実施の形態における筆記体６の交換について説明する。
筆記体６を交換する際、蓋部５が軸筒２の後端の開口部４２を閉鎖した状態（図１及び図２参照）から、図３に示すように、蓋部５のヒンジ部５２と反対側の操作端部を後方に押圧し、係合部５３と被係合部４５との係合を解除し、蓋部５を後方に回動させ、軸筒２の後端の開口部４２を開口する。前記開口部４２を開口させると、前記開口部４２から各々の筆記体６が、弾発体９の後方付勢により後方外部に僅かに突出される。前記軸筒２の後端の開口部４２が開口した状態で、筆記体６を取り出すことにより、前記開口部４２を通して筆記体６を軸筒２内から取り出し、その後、新たな筆記体６を前記開口部４２を通して軸筒２内に挿入する。そして、蓋部５の当接壁部５１に各々の操作体の後端を当接させ、各々の操作体を前方に押圧しながら蓋部５を前方に回動させ、その後、係合部５３と被係合部４５とを係合させ、開口部４２を閉鎖する。これにより、筆記体６の交換作業が終了する。
【００３６】
本実施の形態の発明の多芯筆記具１は、前記筆記体６が、両端が開口された筒状のインキ収容管８と、該インキ収容管８の前端部に固着される前記ペン先７と、該インキ収容管８の後端部外面に径方向外方に突出される前記操作部８２とからなり、前記インキ収容管８の後端と前記操作部８２の後端とが一致するか、または前記インキ収容管８の後端開口部８１が前記操作部８２の後端より後方に位置されることにより、インキ収容管８内へのインキ充填量を増加させることができる。
【００３７】
本実施の形態の多芯筆記具１は、前記操作部８２が前記インキ収容管８の後端部外面に一体に形成されることにより、インキ収容管８と操作部８２との組立工程が不要となり、製造コストを減少させることができる。
【００３８】
本実施の形態の多芯筆記具１は、前記インキ収容管８の後端部外面の操作部８２と反対側に径方向外方に突出する係合突部８３が一体に形成され、前記係合突部８３がペン先出没時に他の筆記体６の係合突部８３に接触してなることにより、インキ収容管８とカム部との組立工程が不要となり、より一層、製造コストを減少させることができる。
【符号の説明】
【００３９】
１  多芯筆記具
２  軸筒
３  前軸
３１  前端孔
４  後軸
４１  窓孔
４２  開口部
４３  係止壁部
４４  クリップ
４５  被係合部
５  蓋部
５１  当接壁部
５２  ヒンジ部
５３  係合部
６  筆記体
７  ペン先（ボールペンチップ）
８  インキ収容管
８１  後端開口部
８２  操作部
８３  係合突部
８３ａ  前側突部
８３ｂ  後側突部
８４  段部
９  弾発体
１０  弾発体支持部
１０１  内孔
【図１】
2012232480.tif 000003
【図２】
2012232480.tif 000004
【図３】
2012232480.tif 000005
【図４】
2012232480.tif 000006